(57)【要約】【課題】放送されるカテゴリー毎に、使用者が決定した内容で自動的に再構成されるデジタル・ラジオを提供する【解決手段】予め選択された信号グループに対して１つの情報チャンネルを監視するための装置および関連するソフトウェアを提供し、予め選択された信号グループが識別されると、デジタル・ラジオは自分自身で自動的に使用者により指定された構成に再構成する。【選択図】図２
2005312047.tif 000002
【特許請求の範囲】
【請求項１】
少なくとも１つの情報チャンネルと少なくとも１つの性能チャンネルとを含む、放送帯域を受信するデジタル・ラジオであって、該デジタル・ラジオが；
受信機で選択された放送帯域の少なくとも１つの情報チャンネルを監視する、選択可能なモードを有し、全ての性能チャンネルを処理するためのプロセッサと；
選択された動作モードで性能チャンネルを処理するようにプロセッサを構成するための、少なくとも１つのソフトウェア・プログラムを含み、プロセッサと信号を交換するメモリ・ユニットとを含み；
此処において、プロセッサが選択可能なモードが、情報チャンネルの中に予め選択された信号の組を識別すると、前記プロセッサはソフトウェア・プログラムにアクセスし、そのソフトウェア・プログラムに応答して前記プロセッサはこのソフトウェア・プログラムで決定された方法で性能チャンネルを処理する、前記デジタル・ラジオ。
【請求項２】
デジタル・ラジオで、性能項目の再生を強化するための方法であって、該方法が：
選択された信号グループに対して、復調されデコードされた情報チャンネルを監視し；
選択された信号グループが識別されると、使用者が定めた方式でデジタル・ラジオを再構成することを含み；
此処で、デジタル・ラジオを再構成する結果、復調されデコードされた情報チャンネルの予め定められた処理がデジタル・ラジオで行われる前記方法。
【発明の詳細な説明】
【技術分野】
【０００１】
本発明は一般的にデジタル・ラジオに関わり、更に詳細には使用者に対してデジタル・ラジオの性能を改善するためにデジタル無線を採用することに関する。現在使用者によって手動で制御されている、性能に影響を与える多くの機能が自動的に制御できる。
【背景技術】
【０００２】
現時点でデジタル・ラジオ分野では、複数の形式が放送帯域送信用に使用されている。送信信号の中の共通要素は、少なくとも１つのデジタル的に変調されたチャンネルが送信チャンネルの中に含まれることである。図１を参照すると、従来技術に基づくデジタル・ラジオ１０のブロック図である。デジタル・ラジオ１０はアンテナ・ユニット５を含む。アンテナ・ユニットはデジタル・ラジオ１０の一部であっても良いし、またはデジタル・ラジオに導電性部材で結合されていても良い。アンテナ５で傍受された信号は受信機ユニット／ダウンコンバータ・ユニット１０１に供給される。受信機ユニット／ダウンコンバータ・ユニット１０１の出力信号は中間周波数を有する変調信号である。受信機ユニット／ダウンコンバータ・ユニット１０１は中間周波数信号をアナログ／デジタル変換器ユニット１０２に供給する。アナログ／デジタル変換器ユニット１０２はデジタル的にエンコードされた信号搬送波およびアナログ・エンコード信号搬送波を、デジタル・シリアル・データに変換する。アナログ／デジタル変換器からの出力信号は復調ユニット／プロセッサ・ユニット１０３に供給される。復調ユニット／プロセッサ・ユニット１０３はアナログおよびデジタル送信信号内容の両方を復調しデコードする。アナログおよびデジタル信号チャンネル信号は共に復調ユニット／プロセッサ・ユニット１０３に供給されるが、それらはユニット１０３の中で別々に復調され処理される。復調ユニット／プロセッサ・ユニット１０３はプログラムおよびデータ信号をメモリ・ユニット１０４と共に変換する。処理ユニット１０３は使用者入力およびメモリ・ユニット１０４内に格納されているプログラムに応答して、アナログ／デジタル変換器ユニット１０２から受信された信号を処理する。例えば、解凍アルゴリズムを受信信号に適用できる。復調ユニット／処理ユニット１０３からの処理済み信号は、デジタル／アナログ変換器ユニット１０５に与えられる。デジタル／アナログ変換器からの出力信号は増幅ユニット１０９から１１０を通してそれぞれスピーカ・ユニット１０７から１０８に与えられる。
【０００３】
当業者には明らかなように、先の説明は総合的というよりむしろ図示的なものである。現時点で存在している問題のひとつは、デジタル無線放送帯域の形式が標準化されていないことである。先に示すように、デジタル無線放送帯域の定義は、放送帯域内の少なくともひとつのチャンネルがデジタル的にエンコードされていることを含む。残りのチャンネルはアナログそして／またはデジタル式エンコード方式でエンコードされていても良い。典型的に放送帯域は性能チャンネルを含み、その内容は使用者向けにデジタル・ラジオのスピーカに与えられる。加えて、一般的に少なくともひとつのデジタル・チャンネル、これ以降情報チャンネルと呼ぶ、は関連する１つまたは複数の性能帯域の属性の識別子を含む。これらの属性は、性能曲（performance piece）の識別子、主演奏者、曲を識別するために最適な１つまたは複数のカテゴリー、送信帯域内で放送される性能曲の型式などを含むことができる。実施例の中には、１つまたは複数の性能チャンネルが関連する１つまたは複数の情報チャンネルに結びつけられているものがある。１つまたは複数の関連する性能チャンネルの属性を使用者に対して、音響または可視情報として提示することが可能であり、使用者が選択してデジタル・ラジオに手動で入力出来るようにしている。
【０００４】
使用者入力を入力するとデジタル・ラジオの構成が変更される。情報チャンネルがこの帯域上で放送されている番組のカテゴリーまたは関連する性能曲のカテゴリーを識別すると、その使用者は一般的に等化と呼ばれている技術を用いてその性能を引き上げることができる。等化中に復調されデコードされた性能曲の周波数スペクトルが複数の周波数帯域に分割される。周波数帯域の増幅は各々の周波数領域毎に選択されて、その使用者に対して、その性能曲の特定カテゴリーに対して性能を向上させる。使用者には制御が提供されているので、等化は各々の性能曲に対してまたは類似の複数の性能曲に対して実施される。
【発明の開示】
【発明が解決しようとする課題】
【０００５】
従って、デジタル・ラジオ放送帯域の情報帯域を、性能チャンネルの再生を自動的に制御するために使用できる機能を有する装置および関連する方法に対する必要性が感じられる。更にデジタル・ラジオ放送帯域の情報チャンネルを監視するための装置を提供することも本発明の１つの特徴である。本装置および関連する方法の更に別の特徴は、デジタル信号放送帯域の情報チャンネル内の選択された信号グループに応答して、自動的に再構成されるデジタル・ラジオを提供することである。本装置および関連する方法の更に別の特徴は、復調されデコードされた性能チャンネルの予め定められた周波数領域の相対強度を自動的かつ選択的に制御することである。
【課題を解決するための手段】
【０００６】
先に述べた特徴並びにその他の特徴は、本発明に基づき、デジタル・ラジオ内に或る予め選択された信号グループに対して１つの情報チャンネルを監視するための装置および関連するソフトウェアを提供し、予め選択された信号グループに基づき、スピーカ・システムに対してアプリケーションの性能チャンネルを用意することで実現される。予め選択された信号グループが識別されると、デジタル・ラジオは自分自身で自動的に使用者により指定された構成に再構成する。例えば、予め選択された信号に応答して、デジタル・ラジオは復調されデコードされた性能チャンネル内で周波数領域の相対強度を制御して、使用者に提供される音響番組を自動的に強化する。
【０００７】
本発明のその他の特徴および長所は、以下の説明を添付図を参照して読むことにより更にはっきりと理解されよう。
【実施例】
【０００８】
図１は関連技術を参照して説明されている。
【０００９】
次に図２を参照すると、本発明を実行するための手順が示されている。ステップ２０１において、デジタル・ラジオで受信される放送帯域は、スピーカ・システムへの最終アプリケーションの性能を送信するための少なくとも１つのチャンネルと、関連する性能チャンネルに関する情報、属性またはパラメータを送信するための少なくとも１つのチャンネルとを含む。例えば、１つまたは複数の情報チャンネルは性能チャンネル（１つまたは複数）に関連する音楽形式のカテゴリー、例えばジャズ、カントリー・ウェスタン、クラシックなど；演奏者；性能の標記などを含むことができる。ステップ２０２において、デジタル・ラジオは、デジタル・ラジオが性能チャンネルを複数の構成の中の１つで処理するように構成可能な方法で実現される。ステップ２０３において、使用者は対象とする情報、属性またはパラメータを表す信号グループを選択し、これらの信号グループをデジタル・ラジオに入力し、選択された信号グループとデジタル・ラジオ構成とを関連づける。デジタル・ラジオはステップ２０４で、選択された放送帯域のチャンネルを受信し、復調しデコードする。ステップ２０５において、復調されデコードされた放送帯域チャンネルはプロセッサに与えられて処理される。復調されたチャンネルの処理中、プロセッサは使用者が選択した信号グループのいずれかが情報チャンネル内に存在するか否かの確認を行う。ステップ２０６でプロセッサが選択された信号グループを識別すると、プロセッサはデジタル・ラジオを再構成して性能チャンネルを使用者が定めた方法で処理する。ステップ２０７で、性能チャンネルは使用者が定めた構成で処理され、デジタル・ラジオ・スピーカに供給される。
【００１０】
（好適な実施例の動作）
本発明はデジタル・ラジオ放送帯域の情報チャンネルを監視する。情報チャンネル内の選択された信号に応答して、デジタル・ラジオ受信機は自動的に再構成されて、性能チャンネルに対して使用者が選択した処理を行う。再構成は比較的簡単に行える。選択された信号グループに応答して、デジタル・ラジオ信号は周波数決定方式、すなわち等化、で音響性能トラックを処理できる。この再構成は使用者が仲介することなく実行され、使用者は設定期間の間に選択された信号グループと、その選択された信号グループに対する関連する応答とを識別している。
【００１１】
再構成はスイッチを設定するだけですむような、出来るだけ簡単にすることも可能であるし、または性能チャンネルの処理を指定するソフトウェア手順をインボークすることを含むようにすることも可能である。加えて、情報チャンネルは放送帯域の全ての性能項目の内容に関する信号グループを含むことが出来る。この状況の中で、デジタル・ラジオはそのデジタル・ラジオが調整される放送帯域の性能項目に関して、強化された性能を提供するように構成できる。
【００１２】
従って、デジタル・ラジオの１つの実施例において、放送帯域を受信するデジタル・ラジオは、少なくとも１つの情報チャンネルと少なくとも１つの性能チャンネルとを含む。デジタル・ラジオは、受信機で選択された放送帯域の少なくとも１つの情報チャンネルを監視する、選択可能なモードを有し、全ての性能チャンネルを処理するプロセッサと；選択された動作モードで性能チャンネルを処理するようにプロセッサを構成するための、少なくとも１つのソフトウェア・プログラムを含み、プロセッサと信号を交換するメモリ・ユニットとを含む。プロセッサが選択可能なモードが、情報チャンネルの中に予め選択された信号の組を識別すると、プロセッサはソフトウェア・プログラムにアクセスし、そのソフトウェア・プログラムに応答してこのプロセッサはこのソフトウェア・プログラムで決定された方法で性能チャンネルを処理する。
【００１３】
１つの形式として、第１信号の組に応答し、プロセッサは等化パラメータを性能チャンネルに供給する。この等化手順は全ての音響ジャンルから選択された１つのメンバーに対して適切な等化手順から選ばれる。予め選択された信号の組は、関連する性能曲の少なくとも１つの属性に関連する。予め選択された信号の組は、性能チャンネル放送帯域の少なくとも１つの属性に関連する。
【００１４】
デジタル・ラジオで、性能項目の再生を強化するための方法の１つの実施例において、この方法は選択された信号グループに対して、復調されデコードされた情報チャンネルを監視するステップを含み；選択された信号グループが識別されると、使用者が定めた方式でデジタル・ラジオを再構成する。デジタル・ラジオを再構成する結果、復調されデコードされた情報チャンネルの予め定められた処理がデジタル・ラジオで行われる。
【００１５】
１つの形式において、再構成されたデジタル・ラジオは、選択された信号グループにより決定された復調されデコードされた情報チャンネルに対して、等化を行う。選択された信号グループは、関連する性能項目の少なくとも１つの属性を識別する。選択された信号グループは、関連する性能チャンネルの性能項目の少なくとも１つの属性を識別する。
【００１６】
再生用に性能項目を送信するためのシステムの１つの実施例において、このシステムは性能項目とその性能項目の属性を識別する信号グループとを含む放送帯域を送信し、少なくとも１つのデジタル的にエンコードされたチャンネルを含む放送帯域を送信するユニットと；複数の構成を有し、選択された信号グループに応じて複数の構成の中の１つを想定する、放送帯域を復調しデコードするためのデジタル・ラジオとを含む。
【００１７】
前記システムにおいて、複数の構成の中少なくとも１つは復調されデコードされた性能項目に対する等化構成である。前記システムにおいて、１つの信号グループは関連する性能項目の少なくとも１つの属性を識別する。この信号グループは、関連する性能項目チャンネルの少なくとも１つの属性を識別する。前記システムは使用者が信号グループとデジタル・ラジオ構成との間の関係を決定するように構成される。
【００１８】
以上の説明に関して更に以下の項を開示する。
（１）少なくとも１つの情報チャンネルと少なくとも１つの性能チャンネルとを含む、放送帯域を受信するデジタル・ラジオであって、該デジタル・ラジオが；
受信機で選択された放送帯域の少なくとも１つの情報チャンネルを監視する、選択可能なモードを有し、全ての性能チャンネルを処理するためのプロセッサと；
選択された動作モードで性能チャンネルを処理するようにプロセッサを構成するための、少なくとも１つのソフトウェア・プログラムを含み、プロセッサと信号を交換するメモリ・ユニットとを含み；
此処において、プロセッサが選択可能なモードが、情報チャンネルの中に予め選択された信号の組を識別すると、前記プロセッサはソフトウェア・プログラムにアクセスし、そのソフトウェア・プログラムに応答して前記プロセッサはこのソフトウェア・プログラムで決定された方法で性能チャンネルを処理する、前記デジタル・ラジオ。
【００１９】
（２）デジタル・ラジオで、性能項目の再生を強化するための方法であって、該方法が：
選択された信号グループに対して、復調されデコードされた情報チャンネルを監視し；
選択された信号グループが識別されると、使用者が定めた方式でデジタル・ラジオを再構成することを含み；
此処で、デジタル・ラジオを再構成する結果、復調されデコードされた情報チャンネルの予め定められた処理がデジタル・ラジオで行われる前記方法。
【００２０】
（３）再生用に性能項目を送信するためのシステムであって、該システムが：
性能項目とその性能項目の属性を識別する信号グループとを含む放送帯域を送信し、少なくとも１つのデジタル的にエンコードされたチャンネルを含む放送帯域を送信するユニットと；
複数の構成を有し、選択された信号グループに応じて複数の構成の中の１つを想定する、放送帯域を復調しデコードするためのデジタル・ラジオとを含む、前記システム。
【００２１】
（４）デジタル・ラジオ技術において、関連する性能チャンネルの属性を記述する情報チャンネルは放送帯域内に含まれる２０１。デジタル・ラジオは選択された信号グループが情報チャンネル内に存在する際に判別する２０５。選択された信号グループが識別されると、デジタル・ラジオは自動的に自身を、性能チャンネルを処理するための使用者が決定した構成に再構成する２０６。特定例を用いて、使用者は性能チャンネルの等化を選択された音楽形式そして／または選択された演奏者用に決定できる。
【図面の簡単な説明】
【００２２】
【図１】図１はデジタル・ラジオの主要構成部品を図示するブロック図。
【図２】図２は本発明に基づきプロセッサを構成するための処理工程を図示する。
【符号の説明】
【００２３】
５  アンテナ
１０  デジタル・ラジオ
１０１  受信機ユニット／ダウンコンバータ・ユニット
１０２  アナログ／デジタル変換ユニット
１０３  復調器／処理ユニット
１０４  メモリ・ユニット
１０５  デジタル／アナログ変換ユニット
１０７，１０８  スピーカ・ユニット
１０９，１１０  増幅器ユニット
【図１】
2005312047.tif 000003
【図２】
2005312047.tif 000004
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
少なくとも１つの情報チャンネルと少なくとも１つの性能チャンネルとを含む、放送帯域を受信するデジタル・ラジオであって、該デジタル・ラジオが；
受信機で選択された放送帯域の少なくとも１つの情報チャンネルを監視する、選択可能なモードを有し、全ての性能チャンネルを処理するためのプロセッサと；
選択された動作モードで性能チャンネルを処理するようにプロセッサを構成するための、少なくとも１つのソフトウェア・プログラムを含み、プロセッサと信号を交換するメモリ・ユニットとを含み；
此処において、プロセッサが選択可能なモードが、情報チャンネルの中に予め選択された信号の組を識別すると、前記プロセッサはソフトウェア・プログラムにアクセスし、そのソフトウェア・プログラムに応答して前記プロセッサはこのソフトウェア・プログラムで決定された方法で性能チャンネルを処理する、前記デジタル・ラジオ。
【請求項２】
デジタル・ラジオで、性能項目の再生を強化するための方法であって、該方法が：
選択された信号グループに対して、復調されデコードされた情報チャンネルを監視し；
選択された信号グループが識別されると、使用者が定めた方式でデジタル・ラジオを再構成することを含み；
此処で、デジタル・ラジオを再構成する結果、復調されデコードされた情報チャンネルの予め定められた処理がデジタル・ラジオで行われる前記方法。
【請求項３】
再生用に性能項目を送信するためのシステムであって、該システムが：
性能項目とその性能項目の属性を識別する信号グループとを含む放送帯域を送信し、少なくとも１つのデジタル的にエンコードされたチャンネルを含む放送帯域を送信するユニットと；
複数の構成を有し、選択された信号グループに応じて複数の構成の中の１つを想定する、放送帯域を復調しデコードするためのデジタル・ラジオとを含む、前記システム。